(57)【要約】【課題】車体フレームに取り付けられる着脱可能部品を備える鞍乗り型車両の部品取り付け構造において、着脱可能部品の確実な取り付けを実現しつつ、着脱可能部品の着脱作業を容易にする。【解決手段】シート支持部材２０が、左右一対のシートフレーム６に跨るように設けられる基部２１と、基部２１から左右一対のシートフレーム６の各々に沿うように前後方向に延びるとともに左右方向に変位可能な左右一対の延出部２２と、を備え、基部２１は、車体フレームに締結により固定され、左右一対の延出部２２の各々は、上方係止部２３、両側方係止部２４，２６及び下方係止部２５を備え、各延出部２２の二方向の移動のみで、各シートフレーム６に対する係止がなされる又は解除される。【選択図】図６
2017030465.tif 000002
【特許請求の範囲】
【請求項１】
前後方向に延びる左右一対のフレーム部材（６）を有する車体フレーム（２）と、
前記左右一対のフレーム部材（６）に支持される着脱可能部品（２０）と、を備え、
前記着脱可能部品（２０）は、前記左右一対のフレーム部材（６）に跨るように設けられる基部（２１）と、前記基部（２１）から前記左右一対のフレーム部材（６）の各々に沿うように前後方向に延びるとともに左右方向に変位可能な左右一対の延出部（２２）と、を備え、
前記基部（２１）は、前記車体フレーム（２）に締結により固定され、
前記左右一対の延出部（２２）の各々は、各フレーム部材（６）上に載置される上方係止部（２３）と、前記上方係止部（２３）の左右一側から下方に延びて前記各フレーム部材（６）の左右一側の第一側面（６ａ）に当接可能に配置される第一側方係止部（２４）と、前記第一側方係止部（２４）の下端から左右他側に延びて前記各フレーム部材（６）の下方に上下方向の隙間（Ｄ２）をもって配置される下方係止部（２５）と、前記上方係止部（２３）の左右他側から下方へ前記隙間（Ｄ２）と同一距離又は前記隙間（Ｄ２）より短い距離を延びて前記各フレーム部材（６）の左右他側の第二側面（６ｂ）に当接可能に配置される第二側方係止部（２６）と、を備えることを特徴とする、鞍乗り型車両の部品取り付け構造。
【請求項２】
前記各フレーム部材（６）における前記各側方係止部（２４，２６）が係止する前記第一側面（６ａ）及び第二側面（６ｂ）は、鉛直方向に沿って形成されて前記各フレーム部材（６）の上端に至る鉛直面とされることを特徴とする、請求項１に記載の鞍乗り型車両の部品取り付け構造。
【請求項３】
乗員が着座するシート（１４）を備え、前記着脱可能部品（２０）が前記シート（１４）の下方に配置されることを特徴とする、請求項１又は２に記載の鞍乗り型車両の部品取り付け構造。
【請求項４】
前記着脱可能部品（２０）は、樹脂製の一体成型品であり、前記第二側方係止部（２６）は、前後方向で前記下方係止部（２５）を避けて設けられることを特徴とする、請求項１から３の何れか一項に記載の鞍乗り型車両の部品取り付け構造。
【請求項５】
前記第二側方係止部（２６）は、前記下方係止部（２５）よりも前記基部（２１）側に離間して設けられることを特徴とする、請求項１から４の何れか一項に記載の鞍乗り型車両の部品取り付け構造。
【請求項６】
前記左右一対のフレーム部材（６）の間に容量確保部品（１５）を備え、
前記第二側方係止部（２６）は、前記上方係止部（２３）の左右内側から下方に延びて前記フレーム部材（６）の左右内側の前記第二側面（６ｂ）に係止することを特徴とする、請求項１から５の何れか一項に記載の鞍乗り型車両の部品取り付け構造。
【請求項７】
前記基部（２１）は、締結ボルト（Ｂ１）により前記車体フレーム（２）に締結される締結部を備え、前記締結部は、前記締結ボルト（Ｂ１）を挿通可能なボルト挿通部（２１ｄ）とされることを特徴とする、請求項１から６の何れか一項に記載の鞍乗り型車両の部品取り付け構造。
【発明の詳細な説明】
【技術分野】
【０００１】
本発明は、鞍乗り型車両の部品取り付け構造に関する。
【背景技術】
【０００２】
特許文献１には、鞍乗り型車両において、車体フレームにおける左右一対のフレーム部材にサイドカバー、リアフェンダ等の樹脂部品を着脱可能に取り付けた構造が開示されている。前記樹脂部品を着脱可能とすることで、該樹脂部品に覆われる機能部品のメンテナンスを行うことが可能となる。
【先行技術文献】
【特許文献】
【０００３】
【特許文献１】特開２０１３−７１６８２号公報
【発明の概要】
【発明が解決しようとする課題】
【０００４】
ところで、車体フレームに上記樹脂部品等の着脱可能部品を取り付ける構造において、着脱可能部品の確実な取り付けを実現しつつ、着脱可能部品とフレーム部材との締結個所を少なくして着脱可能部品の着脱作業を容易にすることが要望されている。
【０００５】
そこで本発明は、車体フレームに取り付けられる着脱可能部品を備える鞍乗り型車両の部品取り付け構造において、着脱可能部品の確実な取り付けを実現しつつ、着脱可能部品の着脱作業を容易にすることを目的とする。
【課題を解決するための手段】
【０００６】
上記課題の解決手段として、請求項１に記載した発明は、前後方向に延びる左右一対のフレーム部材（６）を有する車体フレーム（２）と、前記左右一対のフレーム部材（６）に支持される着脱可能部品（２０）と、を備え、前記着脱可能部品（２０）は、前記左右一対のフレーム部材（６）に跨るように設けられる基部（２１）と、前記基部（２１）から前記左右一対のフレーム部材（６）の各々に沿うように前後方向に延びるとともに左右方向に変位可能な左右一対の延出部（２２）と、を備え、前記基部（２１）は、前記車体フレーム（２）に締結により固定され、前記左右一対の延出部（２２）の各々は、各フレーム部材（６）上に載置される上方係止部（２３）と、前記上方係止部（２３）の左右一側から下方に延びて前記各フレーム部材（６）の左右一側の第一側面（６ａ）に当接可能に配置される第一側方係止部（２４）と、前記第一側方係止部（２４）の下端から左右他側に延びて前記各フレーム部材（６）の下方に上下方向の隙間（Ｄ２）をもって配置される下方係止部（２５）と、前記上方係止部（２３）の左右他側から下方へ前記隙間（Ｄ２）と同一距離又は前記隙間（Ｄ２）より短い距離を延びて前記各フレーム部材（６）の左右他側の第二側面（６ｂ）に当接可能に配置される第二側方係止部（２６）と、を備えることを特徴とする。
なお、前記鞍乗り型車両には、運転者が車体を跨いで乗車する車両全般が含まれ、自動二輪車（原動機付自転車及びスクータ型車両を含む）のみならず、三輪（前一輪かつ後二輪の他に、前二輪かつ後一輪の車両も含む）又は四輪の車両も含まれる。
【０００７】
請求項２に記載した発明は、前記各フレーム部材（６）における前記各側方係止部（２４，２６）が係止する前記第一側面（６ａ）及び第二側面（６ｂ）は、鉛直方向に沿って形成されて前記各フレーム部材（６）の上端に至る鉛直面とされることを特徴とする。
請求項３に記載した発明は、乗員が着座するシート（１４）を備え、前記着脱可能部品（２０）が前記シート（１４）の下方に配置されることを特徴とする。
請求項４に記載した発明は、前記着脱可能部品（２０）は、樹脂製の一体成型品であり、前記第二側方係止部（２６）は、前後方向で前記下方係止部（２５）を避けて設けられることを特徴とする。
請求項５に記載した発明は、前記第二側方係止部（２６）は、前記下方係止部（２５）よりも前記基部（２１）側に離間して設けられることを特徴とする。
請求項６に記載した発明は、前記左右一対のフレーム部材（６）の間に容量確保部品（１５）を備え、前記第二側方係止部（２６）は、前記上方係止部（２３）の左右内側から下方に延びて前記フレーム部材（６）の左右内側の前記第二側面（６ｂ）に係止することを特徴とする。
請求項７に記載した発明は、前記基部（２１）は、締結ボルト（Ｂ１）により前記車体フレーム（２）に締結される締結部を備え、前記締結部は、前記締結ボルト（Ｂ１）を挿通可能なボルト挿通部（２１ｄ）とされることを特徴とする。
【発明の効果】
【０００８】
請求項１に記載した発明によれば、着脱可能部品を車体フレームに取り付けた状態では、基部が車体フレームに締結固定されるとともに、左右延出部が各フレーム部材に左右方向の移動が規制された状態で載置される。各延出部の上方への移動は、上方からの荷重により規制されるとともに、各延出部に浮きが生じたとしても、その上方移動量は下方係止部により前記隙間以内に制限される。
一方、着脱可能部品を車体フレームから取り外す際には、まず、基部の締結を解除するとともに、下方係止部がフレーム部材の下面に当接するまで延出部を持ち上げて左右方向で第二側方係止部と反対側（第一側方係止部側）に変位させ、さらに左右延出部を持ち上げることで、左右延出部を左右フレーム部材から取り外し、着脱可能部品全体を車体フレームから取り外すことができる。すなわち、左右延出部を締結する場合と比べて、左右延出部の締結の解除を要することなく、着脱可能部品を取り外すことができる。
このように、ボルト等の締結具の着脱作業を少なくした上で、着脱可能部品を車体フレームに確実に取り付け可能とし、かつ容易に着脱可能とすることができる。
【０００９】
請求項２に記載した発明によれば、各側方係止部がフレーム部材の上端から鉛直下方に延びる両側面に係止可能となり、各延出部の左右方向の移動を良好に規制できるとともに、フレーム部材の両側面に沿って延出部ひいては着脱可能部品全体を上下方向に移動可能となり、着脱可能部品の着脱を容易にすることができる。
請求項３に記載した発明によれば、二股形状の着脱可能部品の露出を抑えて外観性を向上させるとともに、延出部への意図せぬ外力により延出部がフレーム部材から脱落することを抑止することができる。
請求項４に記載した発明によれば、第二側方係止部及び下方係止部が互いに他方の型抜きを阻害し難く、第二側方係止部及び下方係止部の成型を容易にすることができる。
請求項５に記載した発明によれば、第二側方係止部の係止を解除する際、まず、下方係止部を支点に着脱可能部品の基部側を持ち上げるように着脱可能部品を回動させると、下方係止部の基部側に離間した第二側方係止部のフレーム側面への係止が解除され、この状態で延出部を左右方向に移動させることで、下方係止部のフレーム下面への係止が解除される。このように、着脱可能部品の回動を取り入れて第二側方係止部の係止を解除することで、下方係止部をフレーム部材から大きく離間させなくても、第二側方係止部の係止を解除することができる。
請求項６に記載した発明によれば、第二側方係止部の係止を解除した後、下方係止部の係止を解除する際、延出部を左右外側に変位させることとなり、容量確保部品側に延出部の移動代を確保する必要がなく、容量確保部品の容量を可及的に確保することができる。
請求項７に記載した発明によれば、基部の締結部が簡素な構成となり、着脱可能部品を持ち上げ易くなり、着脱可能部品のスムーズな着脱を可能にすることができる。
【図面の簡単な説明】
【００１０】
【図１】本発明の実施形態における自動二輪車の右側面図である。
【図２】上記自動二輪車の要部の右側面図である。
【図３】上記自動二輪車の要部の上面図である。
【図４】図２のＩＶ−ＩＶ断面図である。
【図５】上記自動二輪車のシート支持部材の上面図である。
【図６】上記シート支持部材の後面図である。
【図７】図６の要部拡大図である。
【図８】上記シート支持部材の取り外し手順を説明する右側面図である。
【図９】上記シート支持部材の取り外し手順を説明する図７に相当する断面図であり、（ａ）は延出部が上方に移動した状態、（ｂ）は（ａ）からさらに延出部が左右外側に移動した状態をそれぞれ示す。
【図１０】上記シート支持部材の第一変形例を示す上面図である。
【図１１】上記シート支持部材の第二変形例を示す上面図である。
【発明を実施するための形態】
【００１１】
以下、本発明の実施形態について図面を参照して説明する。なお、以下の説明における前後左右等の向きは、特に記載が無ければ以下に説明する車両における向きと同一とする。また以下の説明に用いる図中適所には、車両前方を示す矢印ＦＲ、車両左方を示す矢印ＬＨ、車両上方を示す矢印ＵＰが示されている。図中線ＣＬは車体左右中心線を示す。
【００１２】
図１に示すように、自動二輪車１（鞍乗り型車両）の車体フレーム２は、ヘッドパイプ３から後下方へ延びる左右一対のメインフレーム４と、左右メインフレーム４の後下方に連なる左右一対のピボットフレーム５と、左右メインフレーム４の後端部から後上方へ延びる左右一対のシートフレーム６と、左右ピボットフレーム５から後上方へ延びて左右シートフレーム６の後端部に接続される左右一対のサポートフレーム７と、を備える。左右メインフレーム４の下方かつ左右ピボットフレーム５の前方にはエンジン１０が搭載される。
【００１３】
車体前部において、ヘッドパイプ３には左右一対のフロントフォーク８がステム８ａを介して転舵可能に支持される。左右フロントフォーク８の下端部には前輪ＦＷが軸支される。ステム８ａ上端のトップブリッジ８ｂにはバーハンドル８ｃが取り付けられる。
車体後部において、左右ピボットフレーム５にはスイングアーム９の前端部がピボット軸９ａを介して上下揺動可能に支持される。スイングアーム９の後端部には後輪ＲＷが軸支される。スイングアーム９の前部と左右ピボットフレーム５との間にはリアクッション機構９ｂが介設される。後輪ＲＷとエンジン１０との間はチェーン式の伝動機構９ｃを介して連結される。
【００１４】
左右メインフレーム４の間には燃料タンク１３が配置される。燃料タンク１３の後方で左右シートフレーム６の上方には乗員用のシート１４が配置される。シート１４は、左右シートフレーム６に下方から支持されるとともに、前端部を燃料タンク１３の後部に下方から支持される。シート１４の前後中間部は、後述するシート支持部材２０を介して左右シートフレーム６に下方から支持される。左右シートフレーム６の間にはエアクリーナ１５が配置される。図中符号１１はエンジン１０の排気管、符号１２は排気管１１の後端に取り付けられるマフラーをそれぞれ示す。
【００１５】
自動二輪車１は、合成樹脂製のカバー部材として、前輪ＦＷの上方を覆うフロントフェンダ１６、及び後輪ＲＷの上方を覆うリアフェンダ１７、車体側面を覆う左右一対のサイドカバー１８（図３参照）、及び燃料タンク１３の周囲を覆うタンクカバー（図示略）等を備える。
【００１６】
図２〜図４を参照し、左右シートフレーム６は、角パイプ状をなして前後方向に延びる。左右シートフレーム６は、左右方向と略直交するとともに鉛直方向に沿うように形成される、車幅方向（左右方向）外側及び内側の外内側面６ａ，６ｂと、外内側面６ａ，６ｂの上端間に渡って左右方向に沿うように形成される上面６ｃと、外内側面６ａ，６ｂの下端間に渡って左右方向に沿うように形成される下面６ｄと、を有する。以下、前記外側面６ａを第一側面６ａ、内側面６ｂを第二側面６ｂという。両側面６ａ，６ｂは、シートフレーム６の上下端に渡る鉛直面であるといえる。
【００１７】
シートフレーム６は、側面視では前下がりに傾斜した直線状に設けられる。シートフレーム６の前端部は、メインフレーム４の後端部にボルト締結により結合される。シートフレーム６、シート１４の底板１４ａ及び燃料タンク１３は、側面視で略三角形状の空間Ｋ１を囲むように配置される。空間Ｋ１には、シート支持部材２０が設けられる。
【００１８】
シート支持部材２０は、シート１４の底板１４ａの前後中間部を支持する。シート支持部材２０は、左右シートフレーム６上に支持される。シート支持部材２０は、左右シートフレーム６に対して着脱可能に取り付けられる。シート支持部材２０は、側面視において前側ほど漸次高さを増すように形成される。
【００１９】
シート支持部材２０は、その前部において左右一対のシートフレーム６に跨るように設けられる基部２１と、基部２１から左右一対のシートフレーム６の各々に沿うように後方に延びるとともに左右方向に変位可能とされる左右一対の延出部２２と、を備える。シート支持部材２０は、合成樹脂製の一体成型品とされる。シート支持部材２０の形成材料としては、例えば軽量かつ高強度の繊維強化樹脂等が挙げられる。左右延出部２２は、それぞれ基部２１に対して左右方向に撓む（弾性変形する）ことで、互いに近接離反するように相対変位可能である。
【００２０】
基部２１は、上壁部２１ａ、左右側壁部２１ｂ及び前壁部２１ｃを備えるボックス状に形成される。左右側壁部２１ｂの前下端部には、左右外側に張り出すボルト挿通部２１ｄが形成される。左右ボルト挿通部２１ｄは、上方から挿通される締結ボルトＢ１により左右シートフレーム６の前部の上面６ｃにそれぞれ締結される。これにより、基部２１ひいてはシート支持部材２０の前部が、左右シートフレーム６に締結固定される。
【００２１】
基部２１の上壁部２１ａは、左右方向に長く設けられる。上壁部２１ａには、シート１４の底板１４ａに突設された左右一対の係止爪１４ｂを係合させる左右一対の係止孔形成部２１ｅが設けられる。
基部２１の前壁部２１ｃは、例えば電装部品ＥＬを取り付けるための固定部とされる。電装部品ＥＬとしては、例えば、ＥＣＵ、リレースイッチ及びレギュレータ等が挙げられる。
【００２２】
基部２１の内側には、エンジン１０の燃料噴射装置ＩＮが配置される。燃料噴射装置ＩＮよりも後方には、エアクリーナ１５が配置される。エアクリーナ１５は、その上部を左右シートフレーム６の間でシート支持部材２０の後部の左右延出部２２の間に配置する。基部２１の前壁部２１ｃは、空間Ｋ１の最大深さを形成する位置に設けられる。
【００２３】
図２、図５〜図７を参照し、左右一対の延出部２２の各々の後部には、各シートフレーム６上に載置される上方係止部２３と、上方係止部２３の左右一側から下方に延び、各シートフレーム６の左右一側（車幅方向外側）の第一側面６ａに当接可能に配置される第一側方係止部２４と、第一側方係止部２４の下端から左右他側に延び、各シートフレーム６の下方に上下方向の隙間Ｄ２をもって配置される下方係止部２５と、上方係止部２３の左右他側から下方へ前記隙間Ｄ２と同一距離又は隙間Ｄ２より短い距離を延び、各シートフレーム６の左右他側（車幅方向内側）の第二側面６ｂに当接可能に配置される第二側方係止部２６と、を備える。
【００２４】
上方係止部２３は、延出部２２の後部下面から下方に突出するように設けられる。上方係止部２３は、延出部２２の後部において左右外側に広がるように形成される。上方係止部２３は、延出部２２と長手方向を一致させた直方体状に形成される。上方係止部２３は、その下面２３ａをシートフレーム６の上面６ｃに沿わせる。上方係止部２３は、その下面２３ａをシートフレーム６の上面６ｃに当接（係止）させることで、シート１４から入力される荷重をシートフレーム６に伝達する。
【００２５】
第一側方係止部２４は、上方係止部２３の左右外側端から鉛直下方へ、シートフレーム６の左右外側の第一側面６ａに沿うように延びる。第一側方係止部２４は、その左右内側の第一係止面２４ａを、シートフレーム６の第一側面６ａに当接（係止）させる。なお、第一側方係止部２４の第一係止面２４ａとシートフレーム６の第一側面６ａとの間に隙間が形成されてもよい。第一側方係止部２４は、側面視で後部下端を下方に突出させるように形成される。
【００２６】
下方係止部２５は、第一側方係止部２４の後部下端から左右内側に突出するように設けられる。下方係止部２５は、その上面２５ａをシートフレーム６の下面６ｄの下方に隙間Ｄ２を空けて配置する。下方係止部２５は、平面視でシートフレーム６の左右外側と重なるように設けられる。前記隙間Ｄ２、及び下方係止部２５の左右内側への突出量Ｌ２については後に詳述する。
【００２７】
ここで、シート支持部材２０は、上下方向の型割りによって一体成型される。下方係止部２５は、第一側方係止部２４を形成する部位においてオーバーハングとなるが、この下方係止部２５を形成するため、上方係止部２３の後部には、下方係止部２５に向けて上下方向で貫通する型抜き部２３ｂが形成される。
【００２８】
第二側方係止部２６は、上方係止部２３の前部の左右内側端から鉛直下方へ、シートフレーム６の左右内側の第二側面６ｂに沿うように延びる。第二側方係止部２６は、その左右外側の第二係止面２６ａを、シートフレーム６の第二側面６ｂに隙間Ｌ１を空けて近接させる。なお、第二側方係止部２６の第二係止面２６ａとシートフレーム６の第二側面６ｂとを当接（係止）させてもよい。
【００２９】
第二側方係止部２６は、前後方向で下方係止部２５を避けて設けられる。具体的に、第二側方係止部２６は、前後方向で下方係止部２５よりも基部２１側に離間して設けられる。第二側方係止部２６が形成される部位において、上方係止部２３の左右外側への広がりは無くされる。
【００３０】
第二側方係止部２６の下方への突出量Ｄ１は、下方係止部２５の上面２５ａとシートフレーム６の下面６ｄとの間の隙間Ｄ２と同一量又は前記隙間Ｄ２よりも少ない量とされる。これにより、下方係止部２５がシートフレーム６に突き当たるまで延出部２２を上方移動させると（図９（ａ）参照）、第二側方係止部２６がシートフレーム６よりも上方に至り、シートフレーム６に対する第二側方係止部２６の係止が解除される。
【００３１】
また、下方係止部２５及びシートフレーム６間の前記隙間Ｄ２が小さくても、後述のように、下方係止部２５を支点にシート支持部材２０の基部２１側を持ち上げるようにシート支持部材２０を回動させることで（図８参照）、前後方向で下方係止部２５よりも基部２１側に離間した第二側方係止部２６が上方移動し、シートフレーム６に対する第二側方係止部２６の係止が解除される。
【００３２】
また、下方係止部２５の左右内側への突出量Ｌ２は、第二側方係止部２６の第二係止面２６ａとシートフレーム６の第二側面６ｂとの間に形成される最大の隙間Ｌ１よりも大きい。なお、前記最大の隙間Ｌ１は、第一側方係止部２４の第一係止面２４ａとシートフレーム６の第一側面６ａとが当接したときの隙間に相当する。下方係止部２５の突出量Ｌ２を前記最大の隙間Ｌ１よりも大きくすることで、第二側方係止部２６の第二係止面２６ａとシートフレーム６の第二側面６ｂとが当接するまで延出部２２及びシートフレーム６が左右方向で相対変位しても、下方係止部２５がシートフレーム６に下方から係止可能な状態が維持される。すなわち、延出部２２の前記隙間Ｄ２を超える上方移動が規制され、シートフレーム６からの脱落が抑止される。
【００３３】
またここで、下方係止部２５の上面２５ａ（係止面）は、上方係止部２３の型抜き部２３ｂを利用することで成型されるが、左右内側へのスライド型の移動によっても成型可能である。このとき、第二側方係止部２６が前後方向で下方係止部２５を避けて設けられるので、前記スライド型を用いる金型設計が可能である。
【００３４】
この実施形態における鞍乗り型車両の部品取り付け構造は上述の構成を有しており、次に、この部品取り付け構造の作用について説明する。
【００３５】
図２〜図４を参照し、シート支持部材２０を車体フレーム２に取り付けた状態では、基部２１が左右シートフレーム６に締結固定されるとともに、左右延出部２２が左右シートフレーム６に左右方向の移動が規制された状態で載置される。各延出部２２は、上方係止部２３を各シートフレーム６の上面６ｃに載置するとともに、両側方係止部２４，２６を各シートフレーム６の両側面６ａ，６ｂに係止させた状態で、シート支持部材２０の自重、及びシート１４からの入力、等の荷重が加わることで、各シートフレーム６からの脱落が規制された状態となる。各延出部２２の上方への移動は、前記荷重により規制されるとともに、各延出部２２に浮きが生じたとしても、その上方移動量は下方係止部２５により前記隙間Ｄ２以内に制限される。
【００３６】
図５、図８、図９を参照し、シート支持部材２０を車体フレーム２から取り外す際には、まず、基部２１の締結を解除するとともに、下方係止部２５がシートフレーム６の下面６ｄに当接するまで延出部２２を持ち上げる。本実施形態では、下方係止部２５を支点にシート支持部材２０の基部２１側を持ち上げるようにシート支持部材２０を回動させる（図８参照）。なお、シート支持部材２０が回動した様を図８に鎖線で示す。図８では電装部品ＥＬを図示しないが、電装部品ＥＬを取り付けたままでもシート支持部材２０を取り外しは可能である。
【００３７】
延出部２２を持ち上げる際には、両側方係止部２４，２６がシートフレーム６における鉛直方向に沿う両側面６ａ，６ｂに摺接し、延出部２２の上下方向の移動がガイドされる。延出部２２が持ち上がると、第二側方係止部２６が上方移動し、この第二側方係止部２６がシートフレーム６よりも上方に達した時点で、シートフレーム６の第二側面６ｂに対する第二側方係止部２６の係止が解除される（図９（ａ）参照）。
【００３８】
この状態で、各延出部２２をシートフレーム６の第一側面６ａ側（左右方向で第二側方係止部２６と反対側、第一側方係止部２４側）に変位させるべく、各延出部２２を弾性変形させることで、さらにシートフレーム６の下面６ｄに対する下方係止部２５の係止が解除される（図５、図９（ｂ）参照）。なお、各延出部２２が左右外側に弾性変形した様を図５に鎖線で示す。
【００３９】
この状態で、左右延出部２２を持ち上げることで、左右延出部２２をシートフレーム６から取り外し、シート支持部材２０全体を車体フレーム２から取り外すことができる。
このように、左右延出部２２においては、締結の解除を要することなく、各延出部２２の二方向の移動のみで、各シートフレーム６に対する係止が解除される。その後、左右延出部２２ひいてはシート支持部材２０全体を持ち上げることで、シート支持部材２０を車体フレーム２から取り外すことができる。
【００４０】
また、シート支持部材２０の車体フレーム２への取り付けは、上記と逆の手順で左右延出部２２を左右シートフレーム６に係止させ、かつ基部２１を左右シートフレーム６に締結固定することでなされる。シート支持部材２０を車体フレーム２に取り付けた状態では、前記荷重が作用するので、下方係止部２５及び両側方係止部の各シートフレーム６への係止の解除が抑止され、各延出部２２の意図せぬ脱落が防止される。
【００４１】
以上説明したように、上記実施形態における鞍乗り型車両の部品取り付け構造によれば、シート支持部材２０が、左右一対のシートフレーム６に跨るように設けられる基部２１と、基部２１から左右一対のシートフレーム６の各々に沿うように前後方向に延びるとともに左右方向に変位可能な左右一対の延出部２２と、を備え、基部２１は、車体フレーム２に締結により固定され、左右一対の延出部２２の各々は、上方係止部２３、両側方係止部２４，２６及び下方係止部２５を備え、各延出部２２の二方向の移動のみで、各シートフレーム６に対する係止がなされる又は解除されるので、ボルト等の締結具の着脱作業を少なくした上で、シート支持部材２０を車体フレーム２に確実に取り付け可能とし、かつ容易に着脱可能とすることができる。
【００４２】
また、各シートフレーム６における各側方係止部２４，２６が係止する第一側面６ａ及び第二側面６ｂが、鉛直方向に沿って形成されて各シートフレーム６の上端に至る鉛直面とされるので、各側方係止部２４，２６がシートフレーム６の上端から鉛直下方に延びる両側面６ａ，６ｂに係止可能となり、各延出部２２の左右方向の移動を良好に規制できるとともに、シートフレーム６の両側面６ａ，６ｂに沿って延出部２２ひいてはシート支持部材２０全体を上下方向に移動可能となり、シート支持部材２０の着脱を容易にすることができる。
【００４３】
また、シート支持部材２０がシート１４下に配置されるので、二股形状のシート支持部材２０の露出を抑えて外観性を向上させるとともに、延出部２２への意図せぬ外力により延出部２２がシートフレーム６から脱落することを抑止することができる。
【００４４】
また、シート支持部材２０は、樹脂製の一体成型品であり、第二側方係止部２６は、前後方向で下方係止部２５を避けて設けられるので、第二側方係止部２６及び下方係止部２５が互いに他方の型抜きを阻害し難く、第二側方係止部２６及び下方係止部２５の成型を容易にすることができる。
【００４５】
また、第二側方係止部２６は、下方係止部２５よりも基部２１側に離間して設けられるので、第二側方係止部２６の係止を解除する際、まず、下方係止部２５を支点にシート支持部材２０の基部２１側を持ち上げるようにシート支持部材２０を回動させると、下方係止部２５の基部２１側に離間した第二側方係止部２６のフレーム側面６ｂへの係止が解除され、この状態で延出部２２を左右方向に移動させることで、下方係止部２５のフレーム下面６ｄへの係止が解除される。このように、シート支持部材２０の回動を取り入れて第二側方係止部２６の係止を解除することで、下方係止部２５をシートフレーム６から大きく離間させなくても、第二側方係止部２６の係止を解除することができる。
【００４６】
また、左右一対のシートフレーム６の間にエアクリーナ１５を備え、第二側方係止部２６は、上方係止部２３の左右内側から下方に延びてシートフレーム６の左右内側の第二側面６ｂに係止するので、第二側方係止部２６の係止を解除した後、下方係止部２５の係止を解除する際、延出部２２を左右外側に変位させることとなり、エアクリーナ１５側に延出部２２の移動代を確保する必要がなく、エアクリーナ１５の容量を可及的に確保することができる。
【００４７】
また、基部２１は、締結ボルトＢ１により車体フレーム２に締結される締結部として、締結ボルトＢ１を挿通可能なボルト挿通部２１ｄを備えるので、基部２１の締結部が簡素な構成となり、シート支持部材２０を持ち上げ易くなり、シート支持部材２０のスムーズな着脱を可能にすることができる。
【００４８】
なお、本発明は上記実施形態に限られるものではなく、例えば、図１０に示すシート支持部材１２０のように、サイドカバー１８と一体化した構成であったり、図１１に示すシート支持部材２２０のように、リアフェンダ１７と一体化した構成であったり、不図示のタンクカバーと一体化した構成であったり、様々な構成の着脱可能部品の取り付けに適用可能である。着脱可能部品の左右一対の延出部２２は、基部２１から前方に延びる構成であってもよい（図１１参照）。
【００４９】
左右一対の延出部２２は、互いに近接離反するように相対変位可能であれば、弾性変形に限らずヒンジ構造等の機械的な可動部を有してもよく、かつ一方の延出部２２のみが前記可動部を有して変位可能としてもよい。基部２１は、左右シートフレーム６への締結に限らず、メインフレーム４等を含む車体フレーム２の適宜の個所への締結でもよい。基部２１の締結部は、ボルト挿通部２１ｄに限らず、ボルト又はナットを含む締結部であってもよい。左右に別れた延出部２２に各係止部２３〜２６を備える構成に限らず、左右一体の基部２１であっても、左右方向の撓み等を利用することで、締結部に替わり各係止部２３〜２６に相当する構成を備えてもよい。着脱可能部品は、一体形成品に限らず、複数部材からなるものであってもよく、かつ樹脂成型品に限らず、鉄、アルミ等の金属部品を含んだり金属部品で形成されてもよい。
【００５０】
着脱可能部品は、下方係止部２５に至る第一側方係止部２４をシートフレーム６の左右方向内側に配置し、左右延出部２２の着脱時に左右延出部２２を左右方向内側に変位させる構成でもよい。着脱可能部品を取り付ける左右一対のフレーム部材は、シートフレーム６に限らず、メインフレーム４及びサポートフレーム７等であってもよい。フレーム部材は、断面角形に限らず、円弧面等の曲面を含むものであってもよい。着脱可能部品が支持する車両部品は、シート１４に限らず、各種の外装部品、電装部品、吸排気系部品及び燃料系部品等であってもよい。左右フレーム部材間の容量確保部品は、エアクリーナ１５に限らず、種々物品の収容部等であってもよい。
【００５１】
前記鞍乗り型車両には、運転者が車体を跨いで乗車する車両全般が含まれ、自動二輪車（原動機付自転車及びスクータ型車両を含む）のみならず、三輪（前一輪かつ後二輪の他に、前二輪かつ後一輪の車両も含む）又は四輪の車両も含まれる。
そして、上記実施形態における構成は本発明の一例であり、実施形態の構成要素を周知の構成要素に置き換える等、本発明の要旨を逸脱しない範囲で種々の変更が可能である。
【符号の説明】
【００５２】
１  自動二輪車（鞍乗り型車両）
２  車体フレーム
６  シートフレーム（フレーム部材）
６ａ  第一側面（外側面）
６ｂ  第二側面（内側面）
１４  シート
１５  エアクリーナ（容量確保部品）
２０  シート支持部材（着脱可能部品）
２１  基部
２１ｄ  ボルト挿通部（締結部）
２２  延出部
２３  上方係止部
２４  第一側方係止部
２５  下方係止部
２６  第二側方係止部
Ｄ２  隙間
Ｂ１  締結ボルト
【図１】
2017030465.tif 000003
【図２】
2017030465.tif 000004
【図３】
2017030465.tif 000005
【図４】
2017030465.tif 000006
【図５】
2017030465.tif 000007
【図６】
2017030465.tif 000008
【図７】
2017030465.tif 000009
【図８】
2017030465.tif 000010
【図９】
2017030465.tif 000011
【図１０】
2017030465.tif 000012
【図１１】
2017030465.tif 000013